(57)【要約】【課題】コンテンツの閲覧者に、負担をかけず多くのコンテンツを閲覧させること。【解決の手段】ＧＵＩ上にコントロール領域を置き、前記コントロール領域を２分割して、進む、戻るの動作を割り当て、前記分割領域にポインタが存在することによって、それぞれに割り当てられた動作をおこない、コントロール領域外に出た場合には停止し、また、ポインタを前記コントロール領域にある程度閉じ込めたことによって操作の確実性が生まれ、コンテンツの閲覧者に負担をかけず多くのコンテンツを閲覧させることが可能となった。【選択図】図１
2006323793.tif 000002
【特許請求の範囲】
【請求項１】
ＧＵＩ上にコントロール領域を置き、前記コントロール領域を２分割して、それぞれの分割領域に進む、戻るの動作を割り当て、前記分割領域に選択手段が存在することによって、それぞれに割り当てられた動作をおこない、前記コントロール領域の外に選択手段が存在する場合に停止するようにしたことを特徴とするスライドショープログラム。
【請求項２】
選択手段がコントロール領域外に出る場合に、前記コントロール領域の外形線のうち任意の一部を選択手段の通り道とし、それ以外の外形線を越えて選択手段が前記コントロール領域外に行かないように袋小路にしたことを特徴とする、請求項１に記載のスライドショープログラム。
【請求項３】
前記コントロール領域外に、前記コントロール領域へ選択手段がジャンプする領域を設けたことを特徴とする、請求項１〜２に記載のスライドショープログラム。
【請求項４】
請求項１〜３の何れか１つに記載のスライドショープログラムの機能を含むことを特徴とする、スライドショーＷＥＢブラウザプログラム。
【発明の詳細な説明】
【技術分野】
【０００１】本発明は、コンテンツの表示システムおよびコンピュータプログラムに係わり、特に、素早い情報へのアクセスをもたらすことができるスライドショープログラム、スライドショーＷＥＢブラウザプログラムに関する。
【背景技術】
【０００２】従来、選択手段の存在位置でコントロールするスライドショープログラムやＷＥＢブラウザは存在していたが、選択手段の動作の制限をするスライドショープログラムは存在しなかった。【０００３】また本発明のスライドショープログラムの機能が搭載されているＷＥＢブラウザプログラムは存在しなかった。
【発明の開示】
【発明が解決しようとする課題】
【０００４】本発明の目的はコンテンツ閲覧システムやコンピュータプログラム（例えばＷＥＢブラウザ）の利用者に対して目的の情報に素早く、しかもなるべく操作することなく到達できるようにするシステムやソフトの提供を目的とする。【０００５】ここで用語および関連した事項を解説しておく。【０００６】ＧＵＩとは、グラフィカルユーザーインターフェイスの略で、主要なＯＳで採用されているインターフェイスを示す。【０００７】スライドショーとは、複数のコンテンツを順番に表示する機能で、当然進むや戻るの機能がある。本発明では設定した時間（インターバル）が経つと自動的に次のコンテンツを表示可能なものとするので停止の機能もある。【０００８】選択手段とは、ＧＵＩにおいて選択を行うものであり、一般的にはマウスポインタなどを指す。【０００９】本発明におけるコンテンツとは、映像、画像、文書などがデジタル化したものを指す。例えば、ＷＥＢページやデジタル画像／映像／文章など。
【課題を解決するための手段】
【００１０】請求項１の発明は、ＧＵＩ上にコントロール領域を置き、前記コントロール領域を２分割して、それぞれの分割領域に進む、戻るの動作を割り当て、前記分割領域に選択手段が存在することによって、それぞれに割り当てられた動作をおこない、前記コントロール領域の外に選択手段が存在する場合に停止するようにしたことを特徴とするスライドショープログラムの発明である。【００１１】請求項２の発明は、選択手段がコントロール領域外に出る場合に、前記コントロール領域の外形線のうち任意の一部を選択手段の通り道とし、それ以外の外形線を越えて選択手段が前記コントロール領域外に行かないように袋小路にしたことを特徴とする、請求項１に記載のスライドショープログラムの発明である。【００１２】請求項３の発明は、前記コントロール領域外に、前記コントロール領域へ選択手段がジャンプする領域を設けたことを特徴とする、請求項１〜２に記載のスライドショープログラムの発明である。【００１３】請求項５の発明は、請求項１〜３の何れか１つに記載のスライドショープログラムの機能を含むことを特徴とする、スライドショーＷＥＢブラウザプログラムの発明である。
【発明の効果】
【００１４】従来、スライドショーの進む／戻る／停止を選択手段の位置によって操作することが可能であったが、正確な位置を確かめるためにコントロール領域を視認する必要だった。【００１５】しかし、本発明によれば、ある程度視認することなく操作可能となった。
【発明を実施するための最良の形態】
【００１６】以下、本発明の実施形態を図面に基づき詳細に説明する。本発明はコンピュータプログラムであるからパソコンなどのコンピュータによって動作する。【００１７】図１に示すように、本発明の画面構成として少なくともコントロール領域（１）とコンテンツを表示するコンテンツ表示部（２）を設ける。【００１８】また、図１のようにコントロール領域を左側に配置するときは、逆コの字型（４）に選択手段（以下ポインタとする）の移動制限（ポインタがコントロール領域内部からこの枠を越えてはみ出さないようにする）をかけると良い。【００１９】なお、コントロール領域（１）を右側に配置するときはコの字型が良い。【００２０】また、前期領域は色や背景画像等が異なるなどユーザーに判別できるように表示されている方が望ましいが、プログラム側の認識としてコントロール領域が存在すれば実施は可能である。【００２１】さらに、図２に示すように、コントロール領域（１）を少なくとも２分割して、上部領域（３）、下部領域（５）の最低２つの分割領域をつくる。【００２２】さらに、前記分割領域群はそれぞれの領域の色や背景画像等を変え、ユーザーに分かる形で分割されている方が望ましいが、必ずしもそうでなくても  プログラム側の認識として分割されていれば実施は可能である。【００２３】なお、本実施形態におけるポインタの動きには任意のあそびを設定できるようにするとよい。【００２４】なお、本発明はイベンド駆動型のプログラムであるから、それぞれのイベンドに基づいて以下の説明を行う。【００２５】スライドショーの制御を行うための基本的なイベントは次のようになる。【００２６】まず、図４に示すスライドショーの起動イベント（７）について記す。このイベント後にスライドショーが起動（８）する。【００２７】勿論、このイベントはスライドショーが停止している場合に起こるイベントである。【００２８】上部領域（３）内にポインタがありかつ上部領域（３）内で停止した場合に、スライドショーを戻るで起動。【００２９】下部領域（５）内にポインタがありかつ下部領域（５）内で停止した場合に、スライドショーを進むで起動。【００３０】本実施形態においては以上の起動イベントが存在する。【００３１】なお、スライドショーの停止（１０）後に再びスライドショーを起動（１０）するためには再びあそび以上ポインタを動作させ所定の位置で停止し、起動イベント（７）を起こす必要がある。【００３２】次に、図４に示すスライドショーの停止イベントについて記す。このイベント後にスライドショーが停止（１０）する。【００３３】勿論、スライドショーが起動している場合に起こるイベントである。【００３４】コントロール領域（１）からポインタが出た場合には、スライドショーが動作していれば、これを停止する。【００３５】この場合は、出た時点でスライドショーを停止する。【００３６】コントロール領域（１）内で、ポインタが動いている場合に、スライドショーが動作していれば、これを停止する。【００３７】ポインタ操作デバイスに付属するボタン（マウスであればマウスボタン）やキーボードのボタンが押されたイベントが起こった場合、スライドショーが動作していれば、これを停止す���。もちろん、ボタンが押され上がる場合に発生するイベントでも代用可能であろうが、操作感覚の点から、ボタンが押された時点で停止するのがよい。【００３８】ポインタ操作デバイスに付属するホイールが回されたイベントが起こった場合、スライドショーが動作していれば、これを停止する。【００３９】このようにすることによって、ポインタがコントロール領域外に出た場合やポインタ操作デバイスに付属するボタンやホイールを操作した場合に確実にスライドショーを停止することができ、他の操作への干渉を避けることが可能である。【００４０】次に、スライドショーのインターバルの制御イベントについて記す。【００４１】インターバルの制御は、上部または下部領域内のポインタの位置によって制御すればよい。【００４２】次に、コントロール領域（１）のユーザーインターフェイスについて記す。【００４３】図３で示すように、コントロール領域（１）をスライドショーで表示するコンテンツの見出し一覧が表示されているＧＵＩリスト（６）とし、現在表示されているコンテンツの見出しの項目を色付けすることによって、より便利なスライドショープログラムとすることが可能である。【００４４】また、コントロール領域（１）をＧＵＩリスト（６）領域の一部とすることで、コントロール領域（１）以外ではＧＵＩリスト本来の動作も可能である。【００４５】次に、コントロール領域（１）でのポインタの動きについて記す。【００４６】コントロール領域（１）内でポインタの動きを制限するためには、ポインタが越えられない外形線上に達したら、それ以上動作方向へ入力を無視すればよい。なお、ポインタを一定領域に閉じ込める機能がＯＳによってはＡＰＩにて提供されているのでこれを応用すれば良い。【００４７】また、コントロール領域（１）外に存在する一定の領域内に入ったポインタを、コントロール領域にジャンプさせるようにしてもよい。【００４８】そのようにすれば、完全にコントロール領域（１）に入らなくても、コントロール領域（１）にポインタが移り操作することが可能である。【００４９】最後に、本発明をブラウザに搭載すればＷＥＢページをスライドショーで閲覧することが可能である。【００５０】以上のような形態でおこなえば本発明を実施できる。
【実施例】
【００５１】ブラウザのＧＵＩウィンドウの横にＧＵＩリストを設け、表示中のページのリンクを抜き出して、アンカータイトルとＵＲＬを項目としてリストで表示できるようにする。【００５２】前記ＧＵＩリストを、本発明におけるコントロール領域（１）とする。【００５３】前記ＧＵＩリストにあるＵＲＬで取得できるＷＥＢページをスライドショーで表示する場合に、本発明のプログラムを利用する。【００５４】スライドショーで閲覧中に興味のあるＷＥＢページが表示された場合はポインタを移動することによってスライドショーが停止し、そのまま前記コントロール領域外へ出てしまえば、そのＷＥＢページを操作することが可能となる。
【図面の簡単な説明】
【００５５】
【図１】本発明の画面構成を模式的に示す図。
【図２】本発明の画面構成における分割領域を模式的に示す図。
【図３】ＧＵＩリストを用いた場合の本発明の画面構成を模式的に示す図。
【図４】基本的な流れ図。
【符号の説明】
【００５６】１−コントロール領域、２−コンテンツ表示部、３−上部領域、４−逆コの字型のポインタ移動制限、５−下部領域、６−ＧＵＩリスト、７−起動イベント、８−スライドショー起動、９−停止イベント、１０−スライドショー停止。
【図１】
2006323793.tif 000003
【図２】
2006323793.tif 000004
【図３】
2006323793.tif 000005
【図４】
2006323793.tif 000006